(57)【特許請求の範囲】
【請求項１】
円筒形状をなすランプの周方向一箇所に当接すべき当接部を有し、前記ランプを支持する支持体に取付けられるべき取付部と、該取付部に連なり、前記ランプの周方向他の箇所に当接して該ランプを前記当接部へ押圧すべき押圧片とを備えるクリップにおいて、前記当接部は、前記押圧片の前記取付部との境界部位に関して前記押圧片と反対の部位に配してあることを特徴とするクリップ。
【請求項２】
前記押圧片は前記当接部に関して該当接部の両側で対向する部位に配してある請求項１記載のクリップ。
【請求項３】
前記押圧片夫々は、前記境界部位から前記当接部までの距離が、押圧片夫々の前記ランプと当接すべき第２の当接部間距離より長い部位に配してある請求項２記載のクリップ。
【請求項４】
前記押圧片夫々は、前記取付部に対し前記ランプの長手方向となる側へ偏倚している請求項２又は３記載のクリップ。
【請求項５】
前記当接部は前記ランプの周方向へ離隔すべき複数部位に配してあり、前記押圧片は前記周方向の一部位に配してある請求項１記載のクリップ
【請求項６】
前記取付部は、一面に前記当接部を有し、他面に、前記支持体に開設される孔へ嵌入して係止されるべき二つの可撓爪を有する請求項１から５のいずれか一つに記載のクリップ。
【請求項７】
前記取付部は、一面に前記当接部を有し、他面に、前記支持体に開設される孔へ嵌入して係止されるべき係止凸部及び可撓爪を有する請求項１から５のいずれか一つに記載のクリップ。
【請求項８】
並置される複数本のランプと、該ランプを支持する支持体と、請求項１から７のいずれか一つに記載のクリップとを備えることを特徴とする光源。
【発明の詳細な説明】
【技術分野】
【０００１】
本発明は円筒形状をなすランプを径方向に押圧して保持するクリップ及び液晶テレビジョン等の表示装置の光源に関する。
【背景技術】
【０００２】
液晶テレビジョン等の薄型の表示装置は、画像を表示する表示面を前側に有する表示部の後側に光源が配されている。
【０００３】
光源は、後壁に複数の取付孔を有し、前側が開放されているランプ収容ケースと、該ランプ収容ケース内に上下に離隔して並置される複数本のランプと、該ランプの両端部を前記後壁に保持するホルダと、前記ランプの中間部を前記後壁に保持する複数のクリップとを備える（例えば、特許文献１参照）。
【０００４】
クリップは、前記ランプ収容ケースに取付けられる板状の取付部と、該取付部の一面に突設され、ランプの周方向一箇所に当接する当接部を先端に有する突起と、該突起の先端に連なり、前記ランプの周方向他の二箇所に当接して該ランプを前記当接部へ押圧すべき二つの押圧片と、前記取付部の他面に突設された脚片及び該脚片の先端に連なる可撓片とを合成樹脂材料により一体に成形してある。
【特許文献１】特開２００７−２０７７６９号公報
【発明の開示】
【発明が解決しようとする課題】
【０００５】
ところで、近年の薄型の表示装置は益々薄型化することが要望されている。これに伴い、表示装置に使用される光源、及び光源に使用されるランプ保持用のクリップも薄型化の対象となる。
【０００６】
表示装置の薄型化は、例えば表示面を有するパネル及びパネルの周縁部を前後で挾持する二つの枠体からなるパネルモジュールにおける前記枠体の一方又は両方をなくし、パネルモジュール等の内装部品を被覆するキャビネット、又は光源におけるランプ収容ケースが前記枠体を兼ねる構成としたり、前記パネルの後側に配される光学シートと前記パネルとの間の空間が狭くなる構成としたりすることにより図られている。
【０００７】
しかし、薄型化の進展に伴い、既存の部品を削除したり、空間を狭くしたりすることによるより一層の薄型化は困難な状況になっている。
【０００８】
本発明の出願人はさらに薄型化を図るべく光源に使用されるランプ保持用のクリップに着目し、特許文献１に記載されているようにランプ収容ケースに取付けられる取付部に、ランプの周方向一箇所に当接する当接部を有する突起の先端部に、ランプを径方向から挾持し、該ランプを前記当接部へ押圧する二つの押圧片が設けられているクリップを改善し、該クリップが保持するランプをランプ収容ケースの後壁に近づけることができる構成とすることにより特許文献１に記載されているクリップを使用した場合よりも光源の薄型化を図ることができるようにすることを目的とする。
【０００９】
詳しくは、ランプを支持する支持体に取付けられ、ランプの周方向一箇所に当接すべき当接部を有する取付部の前記当接部を、前記取付部に連なり、ランプを前記当接部へ押圧すべき押圧片の前記取付部との境界部位に対し前記押圧片より離隔した偏倚箇所に配することにより、その周面が当接部に当接するランプを、取付部が取付けられる支持体により一層近づけることができるクリップ及び、薄型化することができる光源を提供することを主たる目的とする。
【課題を解決するための手段】
【００１０】
本発明に係るクリップは、円筒形状をなすランプの周方向一箇所に当接すべき当接部を有し、前記ランプを支持する支持体に取付けられるべき取付部と、該取付部に連なり、前記ランプの周方向他の箇所に当接して該ランプを前記当接部へ押圧すべき押圧片とを備えるクリップにおいて、前記当接部は、前記押圧片の前記取付部との境界部位に関して前記押圧片と反対の部位に配してあることを特徴とする。
【００１１】
この発明にあっては、ランプの周方向一箇所に当接する当接部が、ランプを当接部へ押圧する押圧片の取付部との境界部位に関して押圧片と反対の部位に配してあるため、取付部が取付けられる支持体と当接部との間の距離を短縮することができ、当接部に当接するランプを支持体に近づけることができる。因って、クリップが使用される光源を薄型化することができる。
【００１２】
また、本発明に係るクリップは、前記押圧片は前記当接部に関して該当接部の両側で対向する部位に配してある構成とするのが好ましい。
この発明にあっては、ランプの周方向一部位に当接する当接部に対し、二つの押圧片を対象位置に配することができるため、ランプに加わる押圧力を均等化でき、ランプの負荷を低減できる。
【００１３】
また、本発明に係るクリップは、前記押圧片夫々は、前記境界部位から前記当接部までの距離が、押圧片夫々の前記ランプと当接すべき第２の当接部間距離より長い部位に配してある構成とするのが好ましい。
この発明にあっては、押圧片夫々の取付部との境界部位を、ランプの周方向一部位に当接する当接部に対し比較的離隔させることができるため、二つの押圧片の長さを比較的長くすることができる。因って、押圧片の撓み性を高めることができ、ランプの押圧片夫々間への嵌め込み性を良好にできる。
【００１４】
また、本発明に係るクリップは、前記押圧片夫々は、前記取付部に対し前記ランプの長手方向となる側へ偏倚している構成とするのが好ましい。
この発明にあっては、複数本が並置されるランプの並置間隔に影響されることなく押圧片の長さを伸長することができるため、二つの押圧片の長さを比較的長くすることができる。因って、押圧片の撓み性を高めることができ、ランプの押圧片夫々間への嵌め込み性を良好にできる。
【００１５】
また、本発明に係るクリップは、前記当接部は前記ランプの周方向へ離隔すべき複数部位に配してあり、前記押圧片は前記周方向の一部位に配してある構成とするのが好ましい。
この発明にあっては、一つの押圧片が複数の当接部へランプを押圧するため、押圧片が一つであるにも拘らずランプを安定性よく保持することができ、また、押圧片が一つであるため、構造を簡素化でき、コストを低減できる。
【００１６】
また、本発明に係るクリップは、前記取付部は、一面に前記当接部を有し、他面に、前記支持体に開設される孔へ嵌入して係止されるべき二つの可撓爪を有する構成とするのが好ましい。
この発明にあっては、取付部の他面に二つの可撓爪が設けられているため、可撓爪夫々の長さを短縮することができ、可撓爪の支持体に対する出っ張り量を低減できる。
【００１７】
また、本発明に係るクリップは、前記取付部は、一面に前記当接部を有し、他面に、前記支持体に開設される孔へ嵌入して係止されるべき係止凸部及び可撓爪を有する構成とするのが好ましい。
この発明にあっては、係止凸部を支持体の孔に嵌入係止した状態で一つの可撓爪を前記孔に嵌入することができるため、換言すると一つの可撓爪を撓ませることにより取付部を支持体に取付けることができるため、クリップの取付作業性を高めることができる。
【００１８】
また、本発明に係る光源は、並置される複数本のランプと、該ランプを支持する支持体と、前述の発明のクリップとを備えることを特徴とする。
【００１９】
この発明にあっては、ランプの周方向一部位に当接する当接部が、ランプを当接部へ押圧する押圧片の取付部との境界部位に関して押圧片と反対の部位に配してあるため、取付部が取付けられる支持体と当接部との間の距離を短縮することができ、当接部に当接するランプを支持体に近づけることができる。因って、光源を薄型化することができる。
【発明の効果】
【００２０】
本発明によれば、ランプの周方向一部位に当接する当接部を有する取付部が取付けられる支持体と当接部との間の距離を短縮することができ、当接部に当接するランプを支持体に近付けることができるため、クリップが使用される光源を薄型化することができる。
【発明を実施するための最良の形態】
【００２１】
以下本発明をその実施の形態を示す図面に基づいて詳述する。
実施の形態１
図１は本発明に係る光源の構成を示す正面図、図２はクリップ部分の構成を示す拡大断面図である。
【００２２】
図示した光源は、略直方体をなす枠部１１及び周縁部が枠部１１に結合され、該枠部１１の後側を閉鎖する後壁１２を有し、前側が開放されている箱形をなす支持体１と、該支持体１内に上下に離隔して並置される円筒形状をなす複数本のランプ２と、該ランプ２の両端部を枠部１１の内側に保持するホルダと、前記ランプ２の中間部を後壁１２に保持する複数のクリップ３と、支持体１の内面部に配され、ランプ２が発光した光を支持体１の開放部側に反射させるべき反射シート４とを備える。
【００２３】
支持体１の後壁１２にはランプ２の長手方向中央部と向き合う位置で、且つランプ２の並置方向へ離隔した位置に複数の取付孔１３がランプ２の本数に対応して開設されている。尚、取付孔１３が孔を構成している。
【００２４】
ランプ２は両端部に電極を有する冷陰極管であり、夫々のランプ２の電極にインバータ回路基板が接続され、パルス幅変調信号により明るさが制御されるように構成されている。尚、ランプ２は熱陰極管であってもよい。
【００２５】
クリップ３は一つのランプ保持部を有し、１本のランプ２の中間部を保持する単数用クリップと、離隔した位置に複数のランプ保持部を有し、隣合う複数本のランプ２の中間部を保持する複数用クリップとがある。この種類が異なるクリップのランプ保持部の構成は同じであるため、以下単数用クリップについて説明する。
【００２６】
クリップ３はランプ２の周方向一部位に当接すべき当接部３１ａを一面に有し、他面に、後壁１２の取付孔１３へ嵌入して係止されるべき可撓爪３１ｂを有する取付部３１と、当接部３１ａに対して該当接部３１ａの両側で対向する部位で取付部３１に連なり、ランプ２の周方向他の二部位に当接してランプ２を当接部３１ａへ押圧すべき二つの押圧片３２，３２とを備える合成樹脂製であり、一体成形されている。
【００２７】
取付部３１は、ランプ２の周面に対応して湾曲する湾曲凹部３１ｃを一面に有し、該湾曲凹部３１ｃの中央部に凸の当接部３１ａが設けられている中央板部３１ｄと、該中央板部３１ｄの両縁から外方へ延出されている外側板部３１ｅ，３１ｅとを有し、外側板部３１ｅ，３１ｅの外縁に押圧片３２，３２が連なっている。
【００２８】
中央板部３１ｄの他面中央部には板状の脚片３１ｆが突設され、該脚片３１ｆの端縁に二つの可撓爪３１ｂが設けられている。可撓爪３１ｂは脚片３１ｆと連なる基部が可撓に構成され、先部が取付孔１３の孔縁部に係止されることにより取付部３１が後壁１２に取付けられるように構成されている。
【００２９】
押圧片３２，３２は、取付部３１との境界部位３３，３３からランプ２の周方向へ延出、換言すると互いに接近する方向へ延出され、境界部位３３，３３側が若干撓み可能になっており、延出先側がランプ２の周方向他の二部位に当接して該ランプ２を当接部３１ａへ押圧するように構成されている。
【００３０】
押圧片３２，３２は、当接部３１ａに関して該当接部３１ａの両側で対向し、取付部３１に関して略ハ字形に配され、延出先部に、ランプ２の周方向他の二部位に当接する第２の当接部３２ａ，３２ａが設けられており、境界部位３３，３３から当接部３１ａまでの距離Ｈが、第２の当接部３２ａ，３２ａ間の距離Ｈ１より長い部位に配してある。第２の当接部３２ａ，３２ａは略半円形をなし、ランプ２の周面と点接触するように構成されている。
【００３１】
当接部３１ａ及び第２の当接部３２ａ，３２ａは、ランプ２の周方向の三分する位置、詳しくは三等分位置に対応する三つの位置に配され、当接部３１ａを、境界部位３３，３３に関して押圧片３２，３２と反対の部位に配してある。
【００３２】
以上のように構成された光源は、支持体１の取付孔１３にクリップ３の可撓爪３１ｂが挿嵌係止され、また、支持体１内に複数本のランプ２が上下に離隔して並置され、ホルダを後壁に取付けることによりランプ２の両端部が支持体１内に保持されるとともに、ランプ２の中間部（中央部）がクリップ３の押圧片３２，３２間に挿嵌保持される。
【００３３】
押圧片３２，３２の第２の当接部３２ａ，３２ａはランプ２の周面位置より内側に配されており、ランプ２が押圧片３２，３２間に挿嵌されるとき、二つの第２の当接部３２ａ，３２ａがランプ２の周面に当接し、二つの押圧片３２，３２が離隔方向へ撓みつつランプ２が押圧片３２，３２間に挿嵌され、押圧片３２，３２が近接方向へ弾性復元しつつ当接部３１ａ及び第２の当接部３２ａ，３２ａに押圧力を加え、押圧片３２，３２がランプ２を保持する。このとき、押圧片３２，３２はランプ２を挾持していない状態に比べて若干離隔方向へ撓んでいる。
【００３４】
また、クリップ３の取付部３１に設けられている当接部３１ａと、押圧片３２，３２に設けられている第２の当接部３２ａ，３２ａとはランプ２の周方向の三等分位置に対応する三つの位置に等配されているため、押圧片３２，３２の弾性復元による押圧力を、三等配位置からランプ２の径方向に加えることができ、ランプ２の保持力を強くすることができる。
【００３５】
ランプ２の周方向一部位に当接する当接部３１ａは、押圧片３２，３２の境界部位３３，３３に関して押圧片３２，３２と反対の部位に配してあるため、後壁１２と当接部３１ａとの間の距離を短縮することができ、当接部３１ａに当接するランプ２を支持体１の後壁１２に近づけることができ、支持体１、ひいては光源を薄型化することができる。
【００３６】
実施の形態２
図３はクリップ部分の他の構成を示す拡大断面図である。このクリップ３は、境界部位３３，３３から当接部３１ａまでの距離Ｈが第２の当接部３２ａ，３２ａ間の距離Ｈ１より長い部位に押圧片３２，３２を配する代わりに、境界部位３３，３３から当接部３１ａまでの距離Ｈが第２の当接部３２ａ，３２ａ間の距離Ｈ１とほぼ等しい部位に押圧片３２，３２を配し、ランプ２の周方向一部位に当接する当接部３１ａを、境界部位３３，３３に関して押圧片３２，３２と反対の部位に配したものである。
【００３７】
このクリップ３において、取付部３１は湾曲凹部３１ｃ及び該湾曲凹部３１ｃの中央部に凸の当接部３１ａを有し、湾曲凹部３１ｃの湾曲方向両側に押圧片３２，３２が連なっている。
【００３８】
押圧片３２，３２は当接部３１ａに関して該当接部３１ａの両側で対向する部位に、取付部３１に関して略い字形に配され、ランプ２の周方向の三等分位置に対応する二つの位置に第２の当接部３２ａ，３２ａが配され、残り一つの位置に当接部３１ａが配されている。
【００３９】
この実施の形態にあっては、押圧片３２，３２の長さが、図２に示すクリップ３の押圧片３２，３２に比べて短いけれども、当接部３１ａが境界部位３３，３３に関して押圧片３２，３２と反対の部位に配されているため、後壁１２と当接部３１ａとの間の距離を短縮することができ、当接部３１ａに当接するランプ２を支持体１の後壁１２に近付けることができ、支持体１、ひいては光源を薄型化することができる。
その他の構成及び作用は図２に示すクリップ３と同様であるため、同様の部品については同じ符号を付し、その詳細な説明及び作用効果の説明を省略する。
【００４０】
実施の形態３
図４はクリップ部分の他の模式的構成を示す拡大正面図、図５は図４の具体例におけるV −V 線のランプの軸線に垂直方向の拡大断面図である。このクリップ３は、押圧片３２，３２を境界部位３３，３３からランプ２の周方向へ延出した構成とする代わりに、押圧片３２，３２を境界部位３３，３３に対しランプ２の長手方向一方側へ偏倚させたものである。
【００４１】
このクリップ３において、取付部３１は湾曲凹部３１ｃ及び該湾曲凹部３１ｃの中央部に凸の当接部３１ａを有し、湾曲凹部３１ｃの湾曲方向両側に押圧片３２，３２が連なっている。
【００４２】
押圧片３２，３２は取付部３１の当接部３１ａに関して該当接部３１ａの両側に配される境界部位３３，３３からランプ２の長手方向一方側へ偏倚して延出され、延出先側に第２の当接部３２ａ，３２ａが設けられている。また、ランプ２の周方向一部位に当接する当接部３１ａは、境界部位３３，３３に関して押圧片３２，３２と反対の部位に配されている。
【００４３】
取付部３１は脚片３１ｆをなくし、取付部３１の境界部位３３，３３側から押圧片３２，３２と反対側へ延出され、延出方向の中間が境界部位３３，３３側へ屈曲する二つの可撓爪３１ｂ，３１ｂが設けられている。
【００４４】
この実施の形態にあっては、ランプ２の長手方向に偏倚させて押圧片３２，３２が配されているため、並置されるランプ２の並置間隔に影響されることなく押圧片３２，３２の長さを伸長することができ、二つの押圧片３２，３２の長さを比較的長くすることができるため、押圧片３２，３２の撓み性を高めることができ、ランプ２の押圧片３２，３２夫々間への嵌め込み性を良好にできる。
その他の構成及び作用は図２に示すクリップ３と同様であるため、同様の部品については同じ符号を付し、その詳細な説明及び作用効果の説明を省略する。
【００４５】
実施の形態４
図６はクリップ部分の他の模式的構成を示す拡大正面図である。このクリップ３は、押圧片３２，３２を境界部位３３，３３に対しランプ２の長手方向一方側へ偏倚させる代わりに、押圧片３２，３２を境界部位３３，３３に対しランプ２の長手方向両方へ偏倚させたものである。
【００４６】
このクリップ３において、取付部３１は湾曲凹部３１ｃ及び該湾曲凹部３１ｃの中央部に凸の当接部３１ａを有し、湾曲凹部３１ｃの湾曲方向両側に押圧片３２，３２が連なっている。
【００４７】
押圧片３２，３２は取付部３１の当接部３１ａに関して該当接部３１ａの両側に配される境界部位３３，３３からランプ２の長手方向両方へ延出され、延出先側に第２の当接部３２ａ，３２ａが設けられている。また、ランプ２の周方向一部位に当接する当接部３１ａは、境界部位３３，３３に関して押圧片３２，３２と反対の部位に配されている。
【００４８】
この実施の形態にあっては、ランプ２の長手方向に押圧片３２，３２が配置されているため、並置されるランプ２の並置間隔に影響されることなく押圧片３２，３２の長さを伸長することができ、二つの押圧片３２，３２の長さを比較的長くすることができるため、押圧片３２，３２の撓み性を高めることができ、ランプ２の押圧片３２，３２夫々間への嵌め込み性を良好にできる。
その他の構成及び作用は図２に示すクリップ３と同様であるため、同様の部品については同じ符号を付し、その詳細な説明及び作用効果の説明を省略する。
【００４９】
実施の形態５
図７はクリップ部分の他の構成を示す拡大正面図、図８は図７のVIII−VIII線のランプの軸線に垂直方向の拡大断面図である。このクリップ３は、二つの押圧片３２，３２の一方をなくし、一つの押圧片３２を有する構成としたものである。
【００５０】
このクリップ３において、取付部３１は湾曲凹部３１ｃ及び該湾曲凹部３１ｃの中央に対しランプ２の周方向両側へ偏倚した二部位に凸の当接部３１ａ，３１ａを有し、湾曲凹部３１ｃの湾曲方向一側、換言すると当接部３１ａが離隔する方向の一部位に押圧片３２が連なっている。
【００５１】
押圧片３２は境界部位３３からランプ２の周方向へ延出され、延出先側に第２の当接部３２ａが設けられている。また、ランプ２の周方向一部位に当接する当接部３１ａは、境界部位３３に関して押圧片３２と反対の部位に配されている。また、ランプ２の周方向の三等分位置に対応する二つの位置に当接部３１ａ，３１ａが配され、残り一つの位置に第２の当接部３２ａが配されている。
【００５２】
取付部３１は脚片３１ｆをなくし、取付部３１の境界部位３３側から押圧片３２と反対側へ延出され、延出方向の中間が境界部位３３側へ屈曲する二つの可撓爪３１ｂ，３１ｂが設けられている。
【００５３】
この実施の形態にあっては、一つの押圧片３２が二つの当接部３１ａ，３１ａへランプ２を押圧するため、押圧片３２が一つであるにも拘らずランプ２を安定性よく保持することができ、また、押圧片３２が一つであるため、構造を簡素化でき、コストを低減できる。
その他の構成及び作用は図２に示すクリップと同様であるため、同様の部品については同じ符号を付し、その詳細な説明及び作用効果の説明を省略する。
【００５４】
実施の形態６
図９はクリップ部分の他の構成を示す拡大断面図である。このクリップ３は、取付部３１の可撓爪３１ｂを脚片３１ｆに設ける代わりに、脚片３１ｆをなくし、取付部３１の境界部位３３，３３側から押圧片３２，３２と反対側へ二つの可撓爪３１ｂ，３１ｂを延出させたものである。
【００５５】
このクリップ３において、可撓爪３１ｂ，３１ｂは、取付部３１の境界部位３３，３３側から押圧片３２，３２と反対側へ延出され、延出方向の中間が境界部位３３，３３側へ屈曲しており、先部が取付孔１３の孔縁部に係止されることにより取付部３１が後壁１２に取付けられるように構成されている。
【００５６】
押圧片３２，３２は図２、図３、図４、図６、図８のいずれかと同様に構成される。
【００５７】
この実施の形態にあっては、脚片３１ｆがなく、取付部３１から可撓爪３１ｂ，３１ｂが直接延出されているため、可撓爪３１ｂ，３１ｂの長さを短縮することができ、可撓爪３１ｂ，３１ｂの支持体１に対する出っ張り量を低減できる。
その他の構成及び作用は図２〜図８に示すクリップ３と同様であるため、同様の部品については同じ符号を付し、その詳細な説明及び作用効果の説明を省略する。
【００５８】
実施の形態７
図１０はクリップ部分の他の構成を示す拡大断面図である。このクリップ３は、二つの可撓爪３１ｂ，３１ｂの一方をなくし、一方の可撓爪３１ｂに変えて、取付孔１３へ嵌入して係止されるべき係止凸部３１ｇを設けたものである。
【００５９】
このクリップ３において、可撓爪３１ｂは、取付部３１の一方の境界部位３３側から押圧片３２と反対側へ延出され、延出方向の中間が境界部位３３側へ屈曲しており、先部が取付孔１３の孔縁部に係止されることにより取付部３１が後壁１２に取付けられるように構成されている。
【００６０】
係止凸部３１ｇは、取付部３１の他方の境界部位３３側から可撓爪３１ｂと離隔する側へ延出され、取付孔１３の孔縁部に係止されることにより取付部３１が後壁１２に取付けられるように構成されている。
【００６１】
押圧片３２，３２は図２、図３、図４、図６、図８のいずれかと同様に構成される。
【００６２】
この実施の形態にあっては、ランプ２が並置される方向へ離隔して可撓爪３１ｂ及び係止凸部３１ｇが設けられているため、係止凸部３１ｇを支持体１の取付孔１３に嵌入係止した状態で一つの可撓爪３１ｂを取付孔１３に嵌入することができ、換言すると一つの可撓爪３１ｂを撓ませることにより取付部３１を支持体１に取付けることができ、クリップ３の取付作業性を高めることができる。
その他の構成及び作用は図２〜図８に示すクリップ３と同様であるため、同様の部品については同じ符号を付し、その詳細な説明及び作用効果の説明を省略する。
【００６３】
尚、以上説明した実施の形態のクリップ３は、ランプ２の周方向の三等分位置に対応する三つの位置の一つに当接部３１ａを配し、二つに第２の当接部３２ａ，３２ａを配したが、その他、前記三つの位置は前記三等分位置に近い三つの位置であればよい。
【００６４】
また、以上説明した実施の形態のクリップ３は、ランプ２の周面に点接触する第２の当接部３２ａを有する構成としたが、その他、第２の当接部３２ａはランプ２の周面と面接触する構造であってもよく、第２の当接部３２ａの構成は特に制限されない。
【００６５】
また、以上説明した実施の形態のクリップ３は、取付部３１に可撓片３１ｂ、又は可撓片３１ｂと係止凸部３１ｇとを有する構成としたが、その他、取付部３１は接着剤等の取付手段により取付ける構成としてもよく、取付部３１の取付手段は特に制限されない。
【００６６】
また、以上説明した実施の形態では、単数用クリップを備える構成としたが、その他、隣合う複数本のランプ２の中間部を保持する複数用クリップを備える構成としてもよい。複数用クリップの取付部３１は、ランプ２の並置方向へ延出された矩形状に形成され、ランプ２の並置間隔に対応して押圧片３２，３２が配される。尚、取付部３１の可撓片３１ｂ、係止凸部３１ｇはランプ２と対応する部位の夫々に配される他、隣合うランプ２の間に配される構成としてもよい。
【００６７】
また、以上説明した実施の形態の支持体１は、内側に反射シート４を配してある構成としたが、その他、反射シート４に代えて、反射用のコーティング層を有する構成であってもよい。
【図面の簡単な説明】
【００６８】
【図１】本発明に係る光源の構成を示す正面図である。
【図２】本発明に係る光源のクリップ部分の構成を示す拡大断面図である。
【図３】本発明に係るクリップ部分の他の構成を示す拡大断面図である。
【図４】本発明に係るクリップ部分の他の模式的構成を示す拡大正面図である。
【図５】図４の具体例におけるV−V 線のランプの軸線に垂直方向の拡大断面図である。
【図６】本発明に係る光源のクリップ部分の他の模式的構成を示す拡大正面図である。
【図７】本発明に係る光源のクリップ部分の他の構成を示す拡大正面図である。
【図８】図７のVIII−VIII線のランプの軸線に垂直方向の拡大断面図である。
【図９】本発明に係る光源のクリップ部分の他の構成を示す拡大断面図である。
【図１０】本発明に係る光源のクリップ部分の他の構成を示す拡大断面図である。
【符号の説明】
【００６９】
１    支持体
１３  取付孔（孔）
２    ランプ
３    クリップ
３１  取付部
３１ａ  当接部
３１ｂ  可撓片
３１ｇ  係止凸部
３２  押圧片
３２ａ  第２の当接部
３３  境界部位
【図１】
0004906775.tif 000002
【図２】
0004906775.tif 000003
【図３】
0004906775.tif 000004
【図４】
0004906775.tif 000005
【図５】
0004906775.tif 000006
【図６】
0004906775.tif 000007
【図７】
0004906775.tif 000008
【図８】
0004906775.tif 000009
【図９】
0004906775.tif 000010
【図１０】
0004906775.tif 000011